(57)【要約】【課題】石材素地に生じた錆び、水垢、エフロ等の汚れがきれいに除去された石材に、比較的安価な表面処理を施すによって清浄な状態を長期間維持可能なるお墓を提供する。【解決手段】複数の石材で構成された芝台１２、中台１４、上台１６の基台部分と、上台１６の上に竿石１８が載置されて成る。水洗浄、弱アルカリ洗浄剤による洗浄、酸性洗浄剤による洗浄、アルカリ性中和剤による中和、及び水分の乾燥からなる前処理が施され、前記石材の素地の外側表面に、シリコーン系保護膜が形成されている。【選択図】図１
0003146536.tif 000002
【実用新案登録請求の範囲】
【請求項１】
複数の石材で構成されたお墓において、前記複数の石材が組み立てられた状態で、水洗浄、弱アルカリ洗浄剤による洗浄、酸性洗浄剤による洗浄、アルカリ性中和剤による中和、及び水分の乾燥からなる前処理が施された前記石材の素地外表面に露出した部分に、シリコーン系保護膜が形成されたことを特徴とするお墓。
【請求項２】
複数の石材で構成されたお墓において、水洗浄、弱アルカリ洗浄剤による洗浄、酸性洗浄剤による洗浄、アルカリ性中和剤による中和及び水分の乾燥からなる前処理が行われた個々の前記石材素地に、シリコーン系保護膜が形成され、その石材を組み立てて成ることを特徴とするお墓。
【考案の詳細な説明】
【技術分野】
【０００１】
この考案は、御影石等の石材で構成されたお墓に関する。
【背景技術】
【０００２】
お墓は、長期間風雨にさらされると石材の表面に汚れが生じる。一般に、石材に生じる汚れの原因として、例えば、石材内部の鉄分が染み出し、石材素地が金色や茶色に変色する錆びや、角部等の水の溜まりやすい箇所にほこりや汚れが堆積し、その部分が黒色や白色に変色する水垢や、石材内部のカルシウムが水分等により溶解されて染み出し、空気中の炭酸ガスと化合して石材素地が白くなるエフロなど知られている。
【０００３】
お墓の汚れを除去または防止する方法として、例えば、特許文献１に開示されているように、石材素地に付着した塵埃をブラシ等で落とし、高温洗浄機で高温水を噴射し、石材を乾燥させた後で石材素地にフッ素材をコーティングするという墓石等の清掃方法がある。
【特許文献１】特開２００４−４１９５５号公報
【考案の開示】
【考案が解決しようとする課題】
【０００４】
しかしながら、特許文献１の墓石等の清掃方法は、石材に高温水を噴射することによって、石材素地に付着した塵埃を物理的に剥離するものであり、上述した錆び、水垢、エフロ等の汚れをきれいに落とすことは困難であった。例えば、錆び等は、石材の内部から染み出し、石材素地の細部の凸凹に入り込むように汚れが生じるので、外部から高温水を噴射しても、高温水の水勢が細部まで届かない場合がある。従って、ある程度の清浄効果はあるが、石材素地の細部に錆び等が残ってしまい、見栄えのよい仕上がり状態にならない場合があった。
【０００５】
また、清浄後の石材素地を被覆するフッ素コーティング剤は、撥水性、安定性に優れた材料であるが、帯電性から埃をよびやすく、また、比較的高価である等の問題がある。
【０００６】
本考案は、上記背景技術に鑑みて成されたもので、石材素地に生じた錆び、水垢、エフロ等の汚れがきれいに除去された石材に、比較的安価な表面処理を施すによって清浄な状態を長期間維持することができる石材で構成されたお墓を提供することを目的とする。
【課題を解決するための手段】
【０００７】
本考案は、複数の石材で構成されたお墓において、前記複数の石材が組み立てられた状態で、水洗浄、弱アルカリ洗浄剤による洗浄、酸性洗浄剤による洗浄、アルカリ性中和剤による中和、及び水分の乾燥からなる前処理が施された前記石材の素地外表面に露出した部分に、シリコーン系保護膜が形成されたお墓である。
【０００８】
また、複数の石材で構成されたお墓において、水洗浄、弱アルカリ洗浄剤による洗浄、酸性洗浄剤による洗浄、アルカリ性中和剤による中和及び水分の乾燥からなる前処理が行われた個々の前記石材素地にシリコーン系保護膜が形成され、その石材を組み立てて成るお墓である。
【考案の効果】
【０００９】
本考案のお墓は、風雨にさらされて錆び、水垢、エフロ等の汚れが生じた石材素地に対して、化学的な作用によってそのような汚れが十分に除去され、きれいで見栄えがよい。
【００１０】
また、石材素地を比較的安価で耐久性、撥水性、防埃性等の優れた特性を有するシリコーン系保護膜で被覆されているので、きれいで見栄えのよい状態を長期間維持することができる。
【００１１】
さらに、表面に汚れが生じたお墓が解体され、個々の石材ごとに汚れの除去とシリコーン系保護膜の形成が行われ、その石材を組み立て直して成るお墓によれば、石材同士の当接部の隙間部分など、組み立てられた状態では処理しきれない箇所まで完全に保護膜が被覆され、汚れを防止する効果を一層高めることができる。
【考案を実施するための最良の形態】
【００１２】
以下、この考案の一実施形態のお墓１０について、図１〜図２に基づいて説明する。お墓１０は、複数の石材で構成された和型のお墓であって、図１に示すように、下方から芝台１２、中台１４、上台１６の順に基台部分が積層され、さらに、上台１６の上に、宗派ごとにお題目などの文字が刻まれた竿石１８が載置されている。また、芝台１２の正面側の側方に香炉２０が、中台１４の正面側の側方に水鉢２２がそれぞれ配置されている。
【００１３】
このお墓１０は、石材素地が露出した状態で長期間風雨にさらされた石材に、後述する石材素地の汚れを除去する処理と石材素地をシリコーン系保護膜で被覆する処理が施されている。以下、お墓１０の石材素地に施された処理について、図２のフローチャートに基づいて説明する。
【００１４】
まず、石材素地に付着した塵埃を取り除くため、石材素地をブラシ等で擦りながら軽く水洗いする。
【００１５】
次に、石材素地に弱アルカリ性の洗浄剤をハケやブラシ等を用いて塗布する。弱アルカリ性の洗浄剤としては、例えば、メルカプト酢酸、水酸化ナトリウムを各々３〜８％程度含有し、グリコールエーテル誘導体、増粘剤、イソプロピルアルコール、界面活性剤および水が混合された洗浄剤が好ましく、錆びやエフロ等のように内部から染み出てくる汚れを除去する効果がある。この洗浄剤は、塗布して１５分程度放置すれば汚れ成分との間で化学反応が進み、当初の無色透明から紫色に変色する。そして、紫色に変色した洗浄剤は、ブラシ等で擦りながら汚れと共に水で洗い流される。洗い流した後、かた絞りのウエスで水ぶきを行うとさらによい。また、高圧洗浄機によって水を噴きつけ、水洗いしてもよい。
【００１６】
次に、汚れが残った箇所に酸性の洗浄剤を塗布する。酸性の洗浄剤としては、例えば、燐酸を４０％程度含有し、界面活性剤及び腐食制御剤が混合された洗浄剤が好ましく、水垢や鉄錆び等の汚れを強力に除去する効果がある。この洗浄剤は、塗布して３〜５分程度放置しておけば汚れとの間で化学反応が進み、その後ブラシ等で擦りながら汚れと共に水で洗い流される。
【００１７】
次に、石材素地にアルカリ性の中和剤を塗布する。アルカリ性の中和剤としては、例えば、水酸化ナトリウム、水酸化カリウムを含有し、漂白助剤、界面活性剤及び水が混合された中和剤が好ましい。この中和剤は、塗布して１〜２分程度放置しておけば酸性洗浄剤を中和させるので、その後ブラシなどで擦りながら水で洗い流される。
【００１８】
次に、お墓１０を構成する石材全体を乾燥させる。このとき、エアーブロアで水滴を飛ばしたり、ウエス等で乾拭きを行った後、石材素地の状態を観察し、汚れが残っているようであれば、上記の洗浄剤による洗浄を繰り返すようにしてもよい。一方、汚れがきれいに落ちている場合は、そのまま石材全体を放置等し、石材の内部まで十分に乾燥させる。
【００１９】
次に、上記のように汚れを除去する処理が施された石材素地に、シリコーン系のコーティング剤をローラ等を用いて塗布する。シリコーン系のコーティング剤としては、例えば、オルガノシランを７０〜８０％程度、アルミニウムキレート化合物を５〜１０％程度、ノルマルヘキサンを１０〜２０％程度を各々含有し、帯電防止剤及び接着向上剤が混合されたものが好ましい。そして、このコーティング剤は、塗布して２４時間余りの時間をかけて放置等すると乾燥して硬化し、石材素地の表面全体が薄い保護膜で覆われたお墓１０が完成する。
【００２０】
以上説明したように、お墓１０は、風雨にさらされて生じた石材素地に生じた錆び、水垢、エフロ等の汚れが、化学的な作用によって十分に除去されているので、きれいで見栄えがよい。また、石材素地を被覆する保護膜は、耐久性、撥水性、防埃性等の優れた特性を有するシリコーン系保護膜であるので、きれいで見栄えのよい状態を長期間維持することができる。また、フッ素系のコーティング剤等と比較して、価格的に手頃で使いやすい。
【００２１】
なお、本発明のお墓は上記実施形態に限定されるものではなく、お墓の形態は御影石等の墓石で構成されたものであれば、図１に示すお墓１０のような基本的な構成のものから、供物台、灯篭、墓誌、置石、階段、門柱、外柵などが付加されたお墓であってもよく、また、和型、洋型の形状や構造の違い等についても問わない。
【００２２】
また、本発明のお墓は、石材素地の汚れを除去する処理と石材素地をシリコーン系保護膜で被覆する処理を、お墓を解体して個々の石材単位で行い、その石材を組み立て成るお墓であってもよい。この場合、石材同士の当接部の隙間部分など、組み立てられた状態では処理しきれない箇所まで完全に保護膜が被覆されるので、汚れを防止する効果を一層高めることができる。
【図面の簡単な説明】
【００２３】
【図１】この考案のお墓の一実施形態を示す斜視図である。
【図２】この実施形態の石材素地に施された処理を説明するフローチャートである。
【符号の説明】
【００２４】
１０  お墓
１２  芝台
１４  中台
１６  上台
１８  竿石
２０  香炉
２２  水鉢
【図１】
0003146536.tif 000003
【図２】
0003146536.tif 000004